(57)【要約】【課題】回路構成が簡素で、ベースバンド部に過大な負荷が掛からず、設計の自由度が高いダイバーシティ受信装置及びその受信方法を提供すること。【解決手段】タイミング制御部１０７では、ストローブ信号が入力されると、その入力回数（ストローブ信号カウント数）に応じて、受信レベル測定部１０６とアンテナ選択部１０８とにそれぞれ所定の信号処理を指示する内容のタイミング信号が生成される。そして、生成されたタイミング信号は、タイミング制御部１０７に所定回数のストローブ信号が入力されるタイミングを基準としてその時に又はその時から所定の期間をおいて、受信レベル測定部１０６とアンテナ選択部１０８とにそれぞれ入力される。【選択図】      図１
2005020407.tif 000002
【特許請求の範囲】
【請求項１】
無線信号を受信する複数のアンテナ素子と、
受信信号を取り出す前記アンテナ素子を切り替えるアンテナスイッチと、
取り出された前記受信信号の受信レベルを前記アンテナ素子毎に測定する受信レベル測定手段と、
測定された前記受信レベルを前記アンテナ素子毎に比較することによって前記受信信号を取り出す前記アンテナ素子を選択するアンテナ選択手段と、
前記受信信号に応じて生成されるＡＧＣ制御信号を基準として、前記アンテナ選択手段が前記アンテナ素子を選択するタイミングを制御するタイミング制御手段と、を具備することを特徴とするダイバーシティ受信装置。
【請求項２】
前記タイミング制御手段は、前記ＡＧＣ制御信号に含まれるストローブ信号をカウントすることによって前記アンテナ選択手段が前記アンテナ素子を選択するタイミングを制御することを特徴とする請求項１に記載のダイバーシティ受信装置。
【請求項３】
前記ＡＧＣ制御信号により調整されるゲイン値に基づいて前記受信信号を増幅するＡＧＣ手段を具備し、
前記タイミング制御手段は、前記ＡＧＣ制御信号に基づいて前記ＡＧＣ手段における前記ゲイン値を算出し、算出された前記ゲイン値に基づいて前記アンテナ選択手段に前記アンテナ素子を選択させるか否か判定するゲイン値判定手段を備えることを特徴とする請求項１記載のダイバーシティ受信装置。
【請求項４】
受信信号を取り出すアンテナ素子を切り替えるアンテナスイッチステップと、
取り出された前記受信信号の受信レベルを前記アンテナ素子毎に測定する受信レベル測定ステップと、
測定された前記受信レベルを前記アンテナ素子毎に比較することによって前記受信信号を取り出す前記アンテナ素子を選択するアンテナ選択ステップと、
前記受信信号に応じてＡＧＣ制御信号を生成するＡＧＣ制御信号生成ステップと、
生成された前記ＡＧＣ制御信号を基準として、前記アンテナ選択ステップにおける前記アンテナ素子を選択するタイミングを制御するタイミング制御ステップと、を具備することを特徴とするダイバーシティ受信方法。
【発明の詳細な説明】
【０００１】
【発明の属する技術分野】
本発明は、携帯電話機等の移動体通信端末装置やこの移動体通信端末装置と無線通信を行う基地局装置に利用可能なアンテナ選択式ダイバーシティ受信装置及びそのダイバーシティ受信方法に関する。
【０００２】
【従来の技術】
従来から無線通信においては、伝搬路を経由する間にフェージングやマルチパス等の影響を受けて無線信号が劣化することが知られている。このフェージングによる無線信号の劣化を抑える技術として、複数のアンテナ素子を具備し、それらの中から無線信号の受信品質が良好なアンテナ素子を選択して、その選択されたアンテナ素子から受信信号を取り出すアンテナ選択式ダイバーシティ通信装置が知られている（例えば、特許文献１参照）。
【０００３】
図４は、アンテナ選択式ダイバーシティ通信装置の一般的な構成を模式化して示すブロック図である。ダイバーシティ通信装置１０は、アンテナ素子１１、１２と、アンテナスイッチ１３と、アンテナ共用部１４と、受信部１５と、受信レベル測定部１６と、アンテナ選択部１８と、送信部１９と、を具備する。また、受信部１５には、受信信号を所定の増幅率（ゲイン値）で増幅するＡＧＣ（Ａｕｔｏｍａｔｉｃ  Ｇａｉｎ  Ｃｏｎｔｒｏｌ）部１５ａが搭載される。なお、図４では、簡略化のため、アンテナ素子を最小構成の２本とし、アンテナ素子の選択に直接的に関与しないアンプやフィルタ等の構成部を省略する。また、アンテナ素子を選択してダイバーシティを行うには、アンテナ素子毎の受信レベルを測定するための時間、この受信レベルをアンテナ素子毎に比較して受信品質を判定するための時間及びアンテナ素子を切り替えるための時間が必要である。
【０００４】
アンテナ素子１１又はアンテナ素子１２で受信された受信信号は、アンテナスイッチ１３及びアンテナ共用部１４を介して受信部１５に入力される。受信部１５において、受信信号は、ＡＧＣ部によって増幅された後に、Ａ／Ｄ変換及び復調処理等の公知の信号処理を施されて受信データに変換される。そして、この受信データは、図示しないベースバンド部に入力される。また一方で、ＡＧＣ部１５ａで増幅された受信信号は、受信レベル測定部１６に入力され、ここでアンテナ素子毎にその受信レベルが測定される。このアンテナ素子毎に測定された受信レベルは、アンテナ選択部１８に入力されて、ここで受信品質の良い即ち受信レベルの高い方のアンテナ素子が選択される。そして、この選択された方のアンテナ素子から受信信号が受信部１５に入力されるように、アンテナ選択部１８からアンテナスイッチ１３にスイッチ切り替え信号が入力される。
【０００５】
ここで、図示しないベースバンド部では、前記受信データが入力された際に受信部１５に対する指令であるＡＧＣ制御信号が生成され、また受信レベル測定部１６又はアンテナ選択部１８に作動タイミングを通知するタイミング信号がそれぞれ生成される。そして、ベースバンド部から受信部１５にＡＧＣ制御信号が入力され、また受信レベル測定部１６及びアンテナ選択部１８にタイミング信号が所定のタイミングで入力され、それぞれの構成部において所定の機能が発揮される。
【０００６】
このようなアンテナ選択式ダイバーシティ通信装置によれば、複数のアンテナ素子群の中から電波伝搬環境の良いアンテナ素子を適応的に選択し、その選択されたアンテナ素子から受信信号を取り出すことによって、受信信号を常に一定品質以上に保つことができる。
【０００７】
【特許文献１】
特開平１−１８９２４８号公報
【０００８】
【発明が解決しようとする課題】
しかしながら、図４に記載されたダイバーシティ通信装置１０では、次のような問題が存在する。即ち、ダイバーシティ通信装置１０では、受信信号の受信品質が良いアンテナ素子を選択するための各構成部の動作をベースバンド部が一括して制御することから、ベースバンド部及び各構成部における制御信号端子が増える等その回路構成が複雑になる。また、各構成部の信号処理速度等を勘案してベースバンド部がＡＧＣ制御信号やタイミング信号を生成して出力しなければならないため、ベースバンド部における信号処理が複雑でその負荷が大きい。さらには、受信部１５、受信レベル測定部１６及びアンテナ選択部１８とベースバンド部とを接続する配線が複雑であるため、これらを別々のユニットに分けることが困難であることから、ダイバーシティ通信装置１０の設計の自由度が低下する。
【０００９】
本発明はかかる点に鑑みてなされたものであり、回路構成が簡素で、ベースバンド部に過大な負荷が掛からず、設計の自由度が高いダイバーシティ受信装置及びその受信方法を提供することを目的とする。
【００１０】
【課題を解決するための手段】
本発明に係るダイバーシティ受信装置は、無線信号を受信する複数のアンテナ素子と、受信信号を取り出す前記アンテナ素子を切り替えるアンテナスイッチと、取り出された前記受信信号の受信レベルを前記アンテナ素子毎に測定する受信レベル測定手段と、測定された前記受信レベルを前記アンテナ素子毎に比較することによって前記受信信号を取り出す前記アンテナ素子を選択するアンテナ選択手段と、前記受信信号に応じて生成されるＡＧＣ制御信号を基準として、前記アンテナ選択手段が前記アンテナ素子を選択するタイミングを制御するタイミング制御手段と、を具備する構成を採る。
【００１１】
この構成によれば、ベースバンド部からの直接的な指示信号を必要とせず、受信信号の受信品質が良いアンテナ素子を既存のＡＧＣ制御信号に基づいて自立的に判定できる回路構成を具備するため、ベースバンド部にかかる負荷を軽減し、かつ、ダイバーシティ受信装置の構成を簡素化して、その設計の自由度を高めることができる。
【００１２】
本発明に係るダイバーシティ受信装置は、前記発明において、前記タイミング制御手段は、前記ＡＧＣ制御信号に含まれるストローブ信号をカウントすることによって前記アンテナ選択手段が前記アンテナ素子を選択するタイミングを制御する構成を採る。
【００１３】
この構成によれば、前記発明による効果に加えて、タイミング制御手段が入力されてくるストローブ信号を受動的に待って、その入力回数をカウントするだけでよいため、タイミング制御手段にかかる信号処理の負荷を軽減することができ、その結果ストローブ信号が入力されてからアンテナ選択手段によってアンテナ素子が選択されるまでのタイムラグを小さくすることができる。
【００１４】
本発明に係るダイバーシティ受信装置は、前記発明において、前記ＡＧＣ制御信号により調整されるゲイン値に基づいて前記受信信号を増幅するＡＧＣ手段を具備し、前記タイミング制御手段は、前記ＡＧＣ制御信号に基づいて前記ＡＧＣ手段における前記ゲイン値を算出し、算出された前記ゲイン値に基づいて前記アンテナ選択手段に前記アンテナ素子を選択させるか否か判定するゲイン値判定手段を備える構成を採る。
【００１５】
この構成によれば、前記発明による効果に加えて、ＡＧＣ手段におけるゲイン値が大きいとき即ち受信信号の受信レベルが小さいときに限りアンテナ素子を選択すればよくなるため、受信信号の受信レベルが一定値以上である間は、アンテナ素子毎の受信レベルを測定するための時間、この受信レベルをアンテナ素子毎に比較して受信品質を判定するための時間及びアンテナ素子を切り替えるための時間が不要となり、これらの時間を全て受信信号の取り出しに使用できることから、受信信号の受信品質を低下させることなく、情報伝送速度を高めることができる。
【００１６】
本発明に係るダイバーシティ受信方法は、受信信号を取り出すアンテナ素子を切り替えるアンテナスイッチステップと、取り出された前記受信信号の受信レベルを前記アンテナ素子毎に測定する受信レベル測定ステップと、測定された前記受信レベルを前記アンテナ素子毎に比較することによって前記受信信号を取り出す前記アンテナ素子を選択するアンテナ選択ステップと、前記受信信号に応じてＡＧＣ制御信号を生成するＡＧＣ制御信号生成ステップと、生成された前記ＡＧＣ制御信号を基準として、前記アンテナ選択ステップにおける前記アンテナ素子を選択するタイミングを制御するタイミング制御ステップと、を具備するようにした。
【００１７】
この方法によれば、ベースバンド部からの直接的な指示信号を必要とせず、受信信号の受信品質が良いアンテナ素子がＡＧＣ制御信号に基づいてベースバンド部を含まない回路構成により自立的に判定されるため、ベースバンド部にかかる負荷を軽減し、かつ、ダイバーシティ受信装置の構成を簡素化し、その設計の自由度を高めることができる。
【００１８】
【発明の実施の形態】
本発明の骨子は、受信信号の受信レベルに応じて生成されるＡＧＣ制御信号に基づいて、ベースバンド部を含まない受信ユニットが、ＡＧＣ制御信号以外のタイミング信号等を必要とすることなく受信信号の受信品質が良いアンテナ素子を自立的に選択することにある。
【００１９】
以下、本発明の実施の形態について、図面を参照して詳細に説明する。
【００２０】
（実施の形態１）
図１は、本発明の実施の形態１に係るアンテナ選択式ダイバーシティ受信装置を用いたダイバーシティ通信装置１００の構成を示すブロック図である。ここで、ダイバーシティ受信装置とは、ダイバーシティ通信装置において、信号の送信のみに使用される構成部即ち図１における送信部１０９を除いたものである。
【００２１】
ダイバーシティ通信装置１００は、アンテナ素子１０１、１０２と、アンテナスイッチ１０３と、アンテナ共用部１０４と、受信部１０５と、受信レベル測定部１０６と、タイミング制御部１０７と、アンテナ選択部１０８と、送信部１０９と、を具備する。また、受信部１０５は、受信信号を所定のゲイン値で増幅するＡＧＣ部１０５ａを具備する。なお、本実施の形態では、アンテナ素子を最小構成の２本とする。
【００２２】
アンテナ素子１０１又はアンテナ素子１０２で受信された無線信号は、アンテナスイッチ１０３に入力される。アンテナスイッチ１０３においては、閉じた方の回路の端子に接続されたアンテナ素子から受信信号が取り出される。この取り出された受信信号は、アンテナ共用部１０４を介して受信部１０５に入力される。受信部１０５では、入力された受信信号がその搭載されたＡＧＣ部１０５ａによって所定のゲイン値で増幅される。このゲイン値については後述する。増幅された受信信号は、一方で受信レベル測定部１０６に入力され、ここでその受信レベルが測定される。また他方で、増幅された受信信号は、受信部１０５においてＡ／Ｄ変換や復調等の所定の信号処理を施されて受信データに変換された後に、図示しないベースバンド部に入力される。
【００２３】
図示しないベースバンド部では、受信データが入力されると、その受信レベルに応じたＡＧＣ制御信号が生成される。ここで、ＡＧＣ制御信号は、クロック信号、ゲイン値調整信号及びストローブ信号の３つの信号で構成される。クロック信号は、受信部１０５に信号処理のタイミングを提供するための信号であり、ゲイン値調整信号は、文字通りＡＧＣ部１０５ａにそのゲイン値の増減を指示する信号であり、ストローブ信号は、そのゲイン値調整信号の終わりを知らせるためのパルス信号である。また、ゲイン値調整信号は、ベースバンド部に入力される受信データの受信レベルが予め設定された値よりも高ければ、ＡＧＣ部１０５ａのゲイン値を下げるように指示する内容となり、一方で同受信レベルが前記設定値よりも低ければ、同ゲイン値を上げるように指示する内容となる。ＡＧＣ制御信号を構成する各信号はそれぞれ受信部１０５に入力されるが、ストローブ信号については、受信部１０５に入力される前に分岐されてタイミング制御部１０７にも入力される。
【００２４】
受信部１０５にゲイン値調整信号が入力されると、ＡＧＣ部１０５ａではゲイン値調整信号の指示内容に従ってゲイン値の増減が行われる。ＡＧＣ部１０５ａでは、ゲイン値が一旦調整されると、次のゲイン値調整信号が入力されてくるまで、その調整されたゲイン値が維持される。
【００２５】
タイミング制御部１０７では、ストローブ信号が入力されると、その入力回数（ストローブ信号カウント数）に応じて、受信レベル測定部１０６とアンテナ選択部１０８とにそれぞれ所定の信号処理を指示する内容のタイミング信号が生成される。そして、生成されたタイミング信号は、タイミング制御部１０７に所定回数のストローブ信号が入力されるタイミングを基準としてその時に又はその時から所定の期間をおいて、受信レベル測定部１０６とアンテナ選択部１０８とにそれぞれ入力される。
【００２６】
受信レベル測定部１０６では、受信部１０５から入力されてくる増幅された受信信号の受信レベルをアンテナ素子毎に包絡線検波等により測定し、その測定結果である受信レベルをタイミング制御部１０７からタイミング信号が入力されてくるタイミングでアンテナ選択部１０８に入力する。
【００２７】
アンテナ選択部１０８では、受信レベル測定部１０６から入力されてくる受信レベルが所定期間保持される。また、アンテナ選択部１０８では、タイミング制御部１０７からタイミング信号が入力されてくると、アンテナ素子１０１についての受信レベルとアンテナ素子１０２についての受信レベルとが比較されて、受信レベルの高い方のアンテナ素子が選択される。そして、この選択されたアンテナ素子から受信信号が取り出されるように、アンテナ選択部１０８からアンテナスイッチ１０３にスイッチ切り替え信号が入力される。
【００２８】
アンテナスイッチ１０３では、入力されたスイッチ切り換え信号に従ってスイッチの切り替えが行われ、次のスイッチ切り換え信号が入力されてくるまで同じアンテナ素子から受信信号が引き続き取り出される。
【００２９】
送信部１０９には、ベースバンド部から送信データが入力される。この送信データは、送信部１０９において変調及びＤ／Ａ変換等の公知の信号処理を施されて送信信号に変換された後に、アンテナ共用部１０４及びアンテナスイッチ１０３を介して、アンテナ選択部１０８によって選択されたアンテナ素子から無線送信される。
【００３０】
次いで、本実施の形態に係るダイバーシティ受信装置の動作について、図２を参照しつつ具体的に説明する。図２は、本実施の形態に係るダイバーシティ受信装置の各構成部における信号処理のタイミングを示す図である。
【００３１】
先ず、本実施の形態に係るダイバーシティ受信装置では、無線信号を受信し始めるにあたり、受信信号の受信レベルを安定させるため、受信開始時からの一定期間に高速ＡＧＣ区間が割当てられる。この高速ＡＧＣ区間では、アンテナスイッチ１０３が固定され、受信開始時に選択されたアンテナ素子１０１から受信部１０５に受信信号が連続的に入力される。また、高速ＡＧＣ区間では、受信部１０５において受信信号に所定の信号処理が施されることによって生成された受信データが、連続的にベースバンド部に入力される。そして、ベースバンド部では、受信部１０５から入力されてくる受信データの受信レベルが計測され、その受信レベルに応じて短い周期でＡＧＣ制御信号が生成される。生成されたＡＧＣ制御信号は、ベースバンド部から受信部１０５に入力されると伴に、その中のストローブ信号についてはタイミング制御部１０７にも入力される。高速ＡＧＣ区間では、ＡＧＣ制御信号が受信部１０５に１０回入力され、その都度ＡＧＣ部１０５ａのゲイン値が調整される。このＡＧＣ制御信号に基づいてゲイン値が繰り返し調整されることにより、高速ＡＧＣ区間の終わりではゲイン値は収束して安定する。
【００３２】
ここで、タイミング制御部１０７は、高速ＡＧＣ区間において受信開始後１０回目までのストローブ信号には何ら反応しない。そして、タイミング制御部１０７は、高速ＡＧＣ区間が終わり低速ＡＧＣ区間Ａに移行するタイミング即ちストローブ信号カウント数１１のタイミングを基準として、その時から一定期間経過後に、受信レベル測定部１０６及びアンテナ選択部１０８にそれぞれタイミング信号を入力する。
【００３３】
高速ＡＧＣ区間から低速ＡＧＣ区間Ａに移行した後は、ＡＧＣ制御信号が受信部１０５に入力される毎に即ちタイミング制御部１０７におけるストローブ信号カウント数が増える毎に、低速ＡＧＣ区間が区切られる。従って、低速ＡＧＣ区間ＡにおいてＡＧＣ制御信号が受信部１０５に入力されると、その後は低速ＡＧＣ区間Ｂとなり、また低速ＡＧＣ区間ＢにおいてＡＧＣ信号が受信部１０５に入力されると、その後は低速ＡＧＣ区間Ｃとなる。
【００３４】
低速ＡＧＣ区間Ａでは、同区間の始まり（図２のストローブ信号カウント数１１のタイミング）から一定期間（低速ＡＧＣ区間Ａよりも十分短い期間）は、受信レベル測定部１０６においてアンテナ素子１０１についての受信レベルが測定される。この一定期間経過時に、タイミング制御部１０７から受信レベル測定部１０６とアンテナ選択部１０８とにタイミング信号が入力される（図２のＴＳ１のタイミング）。アンテナ選択部１０８にこのタイミング信号が入力されると、アンテナ素子１０２からの受信信号を取り出すため、アンテナ選択部１０８からアンテナスイッチ１０３にスイッチの切り替え指示を内容とするスイッチ切り替え信号が入力される。また、ＴＳ１のタイミングで受信レベル測定部１０６にタイミング信号が入力されると、受信レベル測定部１０６からアンテナ選択部１０８にアンテナ素子１０１についての受信レベルが入力される。このアンテナ素子１０１についての受信レベルは、アンテナ選択部１０８に一時保持される。
【００３５】
アンテナ素子１０１についての受信レベルを出力した後、受信レベル測定部１０６には、ＡＧＣ部１０５ａで増幅されたアンテナ素子１０２からの受信信号が入力されてくる。そして、タイミング制御部１０７から次のタイミング信号が入力されてくる（図２のＴＳ２のタイミング）までの期間は、受信レベル測定部１０６ではアンテナ素子１０２についての受信レベルが測定される。なお、ＴＳ１及びＴＳ２のタイミングは、タイミング制御部１０７によってストローブ信号カウント数１１のタイミングを基準として自立的に計測される。
【００３６】
図２におけるＴＳ２のタイミングが到来した時、タイミング信号がタイミング制御部１０７から受信レベル測定部１０６とアンテナ選択部１０８とにそれぞれ入力される。このタイミング信号が受信レベル測定部１０６に入力されると、アンテナ素子１０２についての受信レベルがアンテナ選択部１０８に入力される。そして、アンテナ選択部１０８では、タイミング制御部１０７からこのタイミング信号が入力されてくると、保持しているアンテナ素子１０１についての受信レベルと、新たに入力されてくるアンテナ素子１０２についての受信レベルと、の比較が開始される。アンテナ選択部１０８におけるこの比較では、受信レベルの高い方のアンテナ素子が選択される。なお、低速ＡＧＣ区間Ａでは、ＴＳ１のタイミングにおいてアンテナスイッチ１０３のスイッチが切り替えられてもＡＧＣ部１０５ａのゲイン値が固定されているため、アンテナ選択部１０８における前記比較は、受信レベル測定部１０６から入力されてくる受信レベルの高さをアンテナ素子毎に単純比較するだけでよい。
【００３７】
アンテナ選択部１０８における前記比較は、図２におけるアンテナ選択区間で終了し、その終了と同時に選択されたアンテナ素子から受信信号が取り出されるように、アンテナ選択部１０８からアンテナスイッチ１０３にスイッチ切り替え信号が入力される。アンテナスイッチ１０３では、このスイッチ切り替え信号に従ってスイッチが切り替えられる。そして、スイッチが切り替えられたタイミングから次のＡＧＣ制御信号が受信部１０５に入力されるタイミング（図２のストローブ信号カウント数１２のタイミング）までの期間では、アンテナスイッチ１０３は固定され、選択された方のアンテナ素子から受信信号が連続的に取り出される。
【００３８】
また、低速ＡＧＣ区間Ａから低速ＡＧＣ区間Ｂに移行するタイミング即ち図２のストローブ信号カウント数１２のタイミングの直前に、ベースバンド部において受信データの受信レベルが測定され、その測定結果に応じてＡＧＣ制御信号が生成される。このＡＧＣ制御信号は、ベースバンド部から受信部１０５に入力され、受信部１０５に搭載されるＡＧＣ部１０５ａでは、入力されてくるゲイン値調整信号に従ってゲイン値が再度調整される。そして、ストローブ信号カウント数１２のタイミングから、上述した低速ＡＧＣ区間Ａの各ステップにおける信号処理と同様の信号処理が開始される。
【００３９】
このように、本実施の形態に係るダイバーシティ受信装置によれば、受信開始時からの一定期間が高速ＡＧＣ区間に割り当てられるため、実際に必要な情報が取り出される低速ＡＧＣ区間が到来するまでに、ＡＧＣ部１０５ａにおけるゲイン値のハンチングを解消することができる。これにより、本実施の形態に係るダイバーシティ受信装置によれば、実際に情報が取り出される当初から高い受信品質を獲得することができる。
【００４０】
また、本実施の形態に係るダイバーシティ受信装置によれば、タイミング制御部１０７は、ストローブ信号が入力されてくるまで受動的に待っていればよく、またその入力回数をカウントするだけでよいため、タイミング制御部１０７にかかる信号処理の負荷を軽減することができる。これにより、本実施の形態に係るダイバーシティ受信装置によれば、タイミング制御部１０７から受信レベル測定部１０６とアンテナ選択部１０８とにタイミング信号が入力されるまでのタイムラグを小さくすることができる。
【００４１】
なお、本実施の形態に係るダイバーシティ受信装置を以下のように変形したり、応用したりしてもよい。
【００４２】
本実施の形態では、アンテナ素子が最小構成の２本である場合について説明したが、本発明はこの場合に限定されるものではなく、使用される電波の強度や周波数及び電波伝搬環境等に応じてアンテナ素子の本数を適宜増やしてもよい。なお、アンテナ素子が増えた場合は、低速ＡＧＣ区間におけるＴＳ１等のタイミングが増えることになるが、ダイバーシティ受信装置における信号処理の本質的な動作は同じである。
【００４３】
また、本実施の形態では、低速ＡＧＣ区間Ａ、Ｂ、Ｃにおいて、ＡＧＣ部１０５ａのゲイン値を固定する場合について説明したが、本発明はこの場合に限定されるものではなく、例えばＴＳ１のタイミングの直前でベースバンド部においてＡＧＣ制御信号を生成して保留し、またＴＳ２のタイミングの直前で同様にＡＧＣ制御信号を生成して、これらＡＧＣ制御信号同士を図２におけるアンテナ選択区間において比較することによってベースバンド部でもアンテナ選択部１０８でのアンテナ素子の選択と同様の選択を行い、ベースバンド部で選択された方のアンテナ素子に対応する前記ＡＧＣ制御信号を受信部１０５に入力するようにしてもよい。このようにすれば、図２におけるアンテナ選択区間が終了するタイミングにおいて、ＡＧＣ部１０５ａのゲイン値をアンテナ選択部１０８によって選択される方のアンテナ素子に対応させることができる。その結果、低速ＡＧＣ区間Ａ、Ｂ、Ｃにおいて、受信部１０５からベースバンド部に入力される受信データの受信レベルを目標値に一層近づけることができる。
【００４４】
また、本実施の形態では、アンテナ選択式ダイバーシティ受信装置及びそれを用いた通信装置について説明したが、ダイバーシティ通信装置１００は、携帯電話機や無線ＬＡＮ用携帯端末装置等の移動体通信端末装置に、或いはこのような移動体通信端末装置と通信を行う基地局装置に組み込むことができる。
【００４５】
（実施の形態２）
以下、本発明の実施の形態２に係るダイバーシティ受信装置について、適宜図を参照しつつ説明するが、実施の形態１において示した構成要素と同様の機能を発揮する構成要素については、同一の参照符号を附してその説明を省略する。
【００４６】
図３は、本発明の実施の形態２に係るダイバーシティ受信装置を用いたダイバーシティ通信装置３００の構成を示すブロック図である。ダイバーシティ通信装置３００は、ダイバーシティ通信装置１００において、タイミング制御部１０７の代わりにゲイン値判定部３０７ａが搭載されたタイミング制御部３０７を具備する。
【００４７】
タイミング制御部３０７には、図示しないベースバンド部で生成されたＡＧＣ制御信号におけるストローブ信号と共に、そのゲイン値調整信号も入力される。タイミング制御部３０７は、受信開始時（図２のストローブ信号カウント数１のタイミング）から入力されてくるゲイン値調整信号に従ってゲイン値を算出し続ける。即ち、ゲイン値判定部３０７ａは、ＡＧＣ部１０５ａのゲイン値を常に監視し続けることができる。そして、ゲイン値判定部３０７ａは、算出されたゲイン値が所定のしきい値を超えるまで、即ち受信データの受信レベルが一定値を下回るまで、タイミング制御部３０７から受信レベル測定部１０６とアンテナ選択部１０８とにタイミング信号が入力されないようにその出力を制御する。そのため、本実施の形態に係るダイバーシティ受信装置では、受信データの受信レベルが一定値を下回らない限り、アンテナ選択部１０８からアンテナスイッチ１０３にスイッチ切り替え信号が入力されないことになる。
【００４８】
従って、本実施の形態に係るダイバーシティ受信装置によれば、受信信号の受信レベルが通信可能なレベルにある限り、低速ＡＧＣ区間Ａ、Ｂ、Ｃの区切り（図２のストローブ信号カウント数１１、１２、１３のタイミング）においてもアンテナ切り替えが行われないため、実施の形態１において必要であったアンテナ素子毎の受信レベルを測定するための時間、この受信レベルをアンテナ素子毎に比較して受信品質を判定するための時間及びアンテナ素子を切り替えるための時間を全て受信信号の取り出しに利用することができ、その情報伝送速度を高めることができる。
【００４９】
また、本実施の形態では、アンテナ選択式ダイバーシティ受信装置及びそれを用いた通信装置について説明したが、ダイバーシティ通信装置３００は、携帯電話機や無線ＬＡＮ用携帯端末装置等の移動体通信端末装置に、或いはこのような移動体通信端末装置と通信を行う基地局装置に組み込むことができる。
【００５０】
【発明の効果】
以上説明したように、本発明によれば、ベースバンド部からの直接的な指示信号を必要とせず、受信信号の受信品質が良いアンテナ素子をＡＧＣ制御信号に基づいて自立的に判定できる回路構成を具備するため、ベースバンド部にかかる負荷を軽減し、かつ、ダイバーシティ受信装置の構成を簡素化して、その設計の自由度を高めることができる。
【図面の簡単な説明】
【図１】本発明の実施の形態１におけるダイバーシティ通信装置の構成を示すブロック図
【図２】実施の形態１に係るダイバーシティ受信装置の各構成部の作動タイミングを示す図
【図３】本発明の実施の形態２におけるダイバーシティ通信装置の構成を示すブロック図
【図４】従来のアンテナ選択式ダイバーシティ通信装置の一般的な構成を示すブロック図
【符号の説明】
１００、３００  ダイバーシティ通信装置
１０１、１０２  アンテナ素子
１０３  アンテナスイッチ
１０４  アンテナ共用部
１０５  受信部
１０５ａ  ＡＧＣ部
１０６  受信レベル測定部
１０７、３０７  タイミング制御部
１０８  アンテナ選択部
１０９  送信部
３０７ａ  ゲイン値判定部
【図１】
2005020407.tif 000003
【図２】
2005020407.tif 000004
【図３】
2005020407.tif 000005
【図４】
2005020407.tif 000006